(57)【要約】【課題】コネクタハウジングに対してリテーナを確実に装着することができ、しかも、装着したリテーナを無理なく取り外すことが可能なコネクタを提供すること。【解決手段】コネクタ１１は、一対の平板部８１，８３を側板部８４と前板部８５とで支持して形成され、インナーハウジング２１を上下方向から挟み込むようにメス端子１７の挿入方向と交差する装着方向から装着されるリテーナ１５を備える。インナーハウジング２１の上面２１ａには、リテーナ１５の装着方向に沿って並設された仮係止突起６１及び本係止突起６３が設けられ、仮係止突起６１は本係止突起６３よりも高くされており、平板部８１の側端縁８２には、仮係止突起６１と本係止突起６３とに選択的に係合する係止部９１が設けられ、平板部８１の装着方向先端部には、係止部９１の係合を解除する解除治具１０１を挿入するための解除治具挿入部９５が設けられる。【選択図】図２
2020149948.tif 000002
【特許請求の範囲】
【請求項１】
端子収容室が形成された筒状のコネクタハウジングと、
互いに対向する一対の平板部を側板部と前板部とで支持して形成され、前記一対の平板部が前記コネクタハウジングを上下方向から挟み込むように端子の挿入方向と交差する装着方向から前記コネクタハウジングに装着されて前記端子収容室に収容された前記端子を抜け止めするリテーナと、を備えるコネクタであって、
前記コネクタハウジングのハウジング外面には、前記リテーナの装着方向に沿って並設された仮係止突起及び本係止突起が設けられ、前記仮係止突起は前記ハウジング外面からの高さが前記本係止突起よりも高くされており、
一方の前記平板部における前記端子の挿入方向に沿う側端縁には、前記リテーナが前記ハウジング外面に沿って装着方向にスライドすることにより、前記仮係止突起と前記本係止突起とに選択的に係合する係止部が設けられ、
一方の前記平板部の装着方向先端部には、前記本係止突起に対する前記係止部の係合を解除する解除治具を挿入するための解除治具挿入部が設けられる
ことを特徴とするコネクタ。
【請求項２】
前記解除治具挿入部は、前記側端縁における前記挿入方向の略中央部に設けられている
ことを特徴とする請求項１に記載のコネクタ。
【請求項３】
前記ハウジング外面における前記端子の挿入方向に沿う側端縁には、前記係止部における前記リテーナの装着方向の先端縁を覆う側壁部が形成されている
ことを特徴とする請求項１または請求項２に記載のコネクタ。
【発明の詳細な説明】
【技術分野】
【０００１】
本発明は、コネクタに関する。
【背景技術】
【０００２】
端子を収容する端子収容室を有するコネクタハウジングに対してリテーナを側方から装着することで、端子収容室内の端子を抜け止めするコネクタが知られている（例えば、特許文献１〜３参照）。
【先行技術文献】
【特許文献】
【０００３】
【特許文献１】特開２０１７−５４６７４号公報
【特許文献２】特開２０１５−１９５１２４号公報
【特許文献３】特開２０１０−７３３７５号公報
【発明の概要】
【発明が解決しようとする課題】
【０００４】
ところで、コネクタハウジングにリテーナを装着した後に、例えば、端子と電線との接続箇所における不具合等のために、端子収容室に収容した端子の交換を要する場合がある。この場合、端子収容室の端子を抜け止めしているリテーナをコネクタハウジングから取り外す必要がある。
【０００５】
リテーナをコネクタハウジングから取り外すには、コネクタハウジングとリテーナとの隙間へ治具を挿し込み、コネクタハウジングに対するリテーナの係止部分における係止状態を解除する必要がある。しかし、コネクタハウジングとリテーナとの隙間へ治具を無理に挿し込むことで、リテーナやコネクタハウジングを損傷させてしまうおそれがある。
【０００６】
本発明は、上述した事情に鑑みてなされたものであり、その目的は、コネクタハウジングに対してリテーナを確実に装着することができ、しかも、装着したリテーナを無理なく取り外すことが可能なコネクタを提供することにある。
【課題を解決するための手段】
【０００７】
本発明に係る上記目的は、下記構成により達成される。
（１）  端子収容室が形成された筒状のコネクタハウジングと、
互いに対向する一対の平板部を側板部と前板部とで支持して形成され、前記一対の平板部が前記コネクタハウジングを上下方向から挟み込むように端子の挿入方向と交差する装着方向から前記コネクタハウジングに装着されて前記端子収容室に収容された前記端子を抜け止めするリテーナと、を備えるコネクタであって、
前記コネクタハウジングのハウジング外面には、前記装着方向に沿って並設された仮係止突起及び本係止突起が設けられ、前記仮係止突起は前記ハウジング外面からの高さが前記本係止突起よりも高くされており、
一方の前記平板部における前記端子の挿入方向に沿う側端縁には、前記リテーナが前記ハウジング外面に沿って前記装着方向にスライドすることにより、前記仮係止突起と前記本係止突起とに選択的に係合する係止部が設けられ、
一方の前記平板部の装着方向先端部には、前記本係止突起に対する前記係止部の係合を解除する解除治具を挿入するための解除治具挿入部が設けられる
ことを特徴とするコネクタ。
【０００８】
上記（１）の構成のコネクタによれば、リテーナの一方の平板部に設けられた係止部をコネクタハウジングのハウジング外面に設けられた本係止突起に係合させることで、リテーナを確実にコネクタハウジングに装着することができる。
また、一方の平板部におけるリテーナの装着方向先端部に設けられた解除治具挿入部から解除治具を挿し込み、平板部の係止部による本係止突起及び仮係止突起に対する係止を解除することで、リテーナをコネクタハウジングから無理なく取り外すことができる。この際、仮係止突起はハウジング外面からの高さが本係止突起よりも高くされているので、解除治具挿入部に挿し込んで本係止突起に対する係止部の係合状態を解除させた解除治具の先端部が仮係止突起に当たりやすくなる。これにより、本係止突起に対する係止部の係合状態を解除させた解除治具の先端部が仮係止突起を乗り越えて奥へ挿し込まれる突き抜けによって生じるリテーナやコネクタハウジングの損傷を抑制できる。
更に、一対の平板部と側板部とで断面視略Ｕ字状に形成されたリテーナの前端部が前板部によって連結されているので、リテーナの剛性が前板部によって高められる。これにより、解除治具によってリテーナをコネクタハウジングから取り外す際のリテーナの変形を抑制できる。
従って、本構成のコネクタによれば、端子収容室に収容した端子の交換を容易に行うことができ、作業者への負担を軽減させることができる。
【０００９】
（２）  前記解除治具挿入部は、前記側端縁における前記挿入方向の略中央部に設けられている
ことを特徴とする上記（１）に記載のコネクタ。
【００１０】
上記（２）の構成のコネクタによれば、解除治具挿入部が一方の平板部における端子の挿入方向に沿う側端縁の略中央部に設けられる。そこで、この解除治具挿入部に解除治具を挿し込んで一方の平板部を押し上げると、解除治具による係止部の押し上げ量と押し上げ力とがバランスし、係止部をバランスよく押し上げることができ、係止部による本係止突起及び仮係止突起への係合を容易に解除させることができる。
【００１１】
（３）  前記ハウジング外面における前記端子の挿入方向に沿う側端縁には、前記係止部における前記装着方向の先端縁を覆う側壁部が形成されている
ことを特徴とする上記（１）又は（２）に記載のコネクタ。
【００１２】
上記（３）の構成のコネクタによれば、リテーナの係止部の先端縁が、ハウジング外面に形成された側壁部で覆われる。そこで、一対の平板部と側板部とで断面視略Ｕ字状に形成されたリテーナの開口端である係止部の先端縁が、他の部材との接触等により不用意に捲り上げられてしまうことを防止できる。
また、解除治具挿入部に解除治具を挿し込んで平板部を押し上げる際、側壁部の上端が解除治具の支点となりテコ作用が生じるので、解除治具による係止部の押し上げ力を低減することができる。
【発明の効果】
【００１３】
本発明によれば、コネクタハウジングに対してリテーナを確実に装着することができ、しかも、装着したリテーナを無理なく取り外すことが可能なコネクタを提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】本発明の一実施形態に係るコネクタの斜視図である。
【図２】図１に示したコネクタの分解斜視図である。
【図３】図２に示したコネクタにおけるメスハウジングの正面図である。
【図４】図３におけるＢ部拡大図である。
【図５】図２に示したリテーナの斜視図である。
【図６】図５に示したリテーナの側面図である。
【図７】解除治具を用いたリテーナの取り外し方を説明する本実施形態に係るコネクタの斜視図である。
【図８】本実施形態において解除治具によるリテーナの取り外し箇所を示す図であって、（ａ）は解除治具の挿入前における断面図、（ｂ）は解除治具の挿入時における断面図、（ｃ）は解除治具による係合解除時の断面図である。
【図９】参考例に係るコネクタを構成するリテーナの斜視図である。
【図１０】図９に示したリテーナの側面図である。
【図１１】参考例において解除治具によるリテーナの取り外し箇所を示す図であって、（ａ）は解除治具の挿入直後における断面図、（ｂ）は解除治具による係合解除時の断面図である。
【発明を実施するための形態】
【００１６】
以下、本発明に係る実施の形態の例を、図面を参照して説明する。
図１は、本発明の一実施形態に係るコネクタ１１の斜視図である。図２は、図１に示したコネクタ１１の分解斜視図である。
【００１７】
図１及び図２に示すように、コネクタ１１は、メスハウジング１３と、メスハウジング１３に装着されるリテーナ１５と、を有している。メスハウジング１３には、メス端子（端子）１７が収容される。コネクタ１１は、メスハウジング１３内に二対のメス端子１７を収容する。
【００１８】
メスハウジング１３は、筒状のインナーハウジング（コネクタハウジング）２１と、インナーハウジング２１の外周面と間隔をあけて包囲する筒状のアウターハウジング２３とを連ねて形成される。メスハウジング１３は、合成樹脂製であって、インナーハウジング２１の外周面とアウターハウジング２３の内周面との隙間には、オスハウジング（図示略）のフード部が挿入される。
【００１９】
インナーハウジング２１には、後方からメス端子１７が挿入される２つの端子収容室２５が形成されている。各端子収容室２５は、インナーハウジング２１の先端部が外部に開放され、図示しないオスハウジングに設けられたタブ状のオス端子（相手端子）が先端側から挿入される。
【００２０】
端子収容室２５に挿入されて収容されるメス端子１７は、電線１８の端部に接続されている。メス端子１７は、オス端子が挿入されることでオス端子と電気的に接続される角筒状の電気接続部３１と、電線１８の端部に圧着されて電線１８の導体と電気的に接続される電線接続部３３とを有している。電気接続部３１には、その下部に、係止片部３５が突設されている。また、メス端子１７が接続された電線１８には、メス端子１７との接続端に、ゴム栓３７が装着されている。ゴム栓３７は、端子収容室２５に嵌め込まれることで、電線１８と端子収容室２５との間をシールする。
【００２１】
インナーハウジング２１は、アウターハウジング２３の前端面よりも前方に張り出して形成されている。インナーハウジング２１は、先端部分にリテーナ１５が側方から装着され、リテーナ１５とともにオスハウジングに嵌合されて接続される。
【００２２】
メスハウジング１３の外周面には、弾性変形可能なハウジングアーム５１が形成されている。ハウジングアーム５１は、門型に形成され、メスハウジング１３の外周面に片持ち状に支持されている。ハウジングアーム５１は、前端部同士を幅方向に架橋する係止片５５を有しており、係止片５５は、オスハウジングに形成された係止突起（図示略）を係止する。
【００２３】
ハウジングアーム５１は、その後端部を支点として、係止片５５が揺動可能になっている。ハウジングアーム５１には、前端部にそれぞれ片持ち状に支持されて後方に向かって延出する門型のロックアーム５７が連設されている。ロックアーム５７は、ハウジングアーム５１の係止状態の解除時に押圧される操作部５９を有している。
【００２４】
図３は、図２に示したコネクタ１１におけるメスハウジング１３の正面図である。図４は、図３におけるＢ部拡大図である。
図３に示すように、側方からリテーナ１５が装着されるインナーハウジング（コネクタハウジング）２１のハウジング外面である上面２１ａには、仮係止突起６１及び本係止突起６３が設けられている。これらの仮係止突起６１及び本係止突起６３は、メス端子１７の挿入方向に沿って平行に延びる突条リブであり、リテーナ１５の装着方向Ａ（図２参照）に沿って順に形成されて並設されている。また、インナーハウジング２１の上面２１ａにおけるメス端子１７の挿入方向に沿う側端縁２２には、後述する係止部９１における装着方向Ａの先端縁９１ａを覆う側壁部６５が形成されている。これらの仮係止突起６１、本係止突起６３及び側壁部６５が形成されたインナーハウジング２１の上面２１ａは、仮係止突起６１と本係止突起６３との間が仮係止溝７１とされ、本係止突起６３と側壁部６５との間が本係止溝７３とされている。
【００２５】
図４に示すように、仮係止突起６１は、本係止突起６３よりも突出寸法が大きくされている。これにより、仮係止突起６１は、インナーハウジング２１の上面２１ａからの高さが本係止突起６３よりも高くされている。
【００２６】
図５は、図２に示したリテーナ１５の斜視図である。図６は、図５に示したリテーナ１５の側面図である。
図５及び図６に示すように、本実施形態に係るリテーナ１５は、互いに対向する一対の平板部８１，８３を側板部８４と前板部８５とで支持して構成されている。このリテーナ１５は、合成樹脂によって一体成形されており、一対の平板部８１，８３の側端部が側板部８４で連結されてインナーハウジング２１への装着側である幅方向の一側方が開口する断面略Ｕ字状に形成されると共に、前端部が前板部８５で連結されている。リテーナ１５は、一対の平板部８１，８３がインナーハウジング２１を上下から挟み込むように、端子収容室２５へのメス端子１７の挿入方向と交差する装着方向Ａからインナーハウジング２１に装着されて端子収容室２５に収容されたメス端子１７を抜け止めする。リテーナ１５の前端部に設けられた前板部８５には、二つの挿入口８７が形成されている。挿入口８７は、インナーハウジング２１に装着されるリテーナ１５が後述する本係止位置に配置された本係止状態でインナーハウジング２１の端子収容室２５と連通し、挿入口８７からオス端子が挿入される。
【００２７】
本実施形態に係るリテーナ１５は、一方の平板部である上側の平板部８１の開口側の端縁であるメス端子１７の挿入方向に沿う側端縁８２に、係止部９１が設けられている（図８の（ａ）参照）。この係止部９１は、上側の平板部８１から下側の平板部８３側へ向かって突出されており、インナーハウジング２１への装着方向Ａと直交する方向に沿って直線リブ状に形成されている。この係止部９１は、リテーナ１５の長手方向にわたって形成されており、リテーナ１５がインナーハウジング２１の上面２１ａに沿って装着方向Ａにスライドすることにより、仮係止突起６１と本係止突起６３とに選択的に係合する。係止部９１は、仮係止突起６１に係合した状態で仮係止溝７１に配置され、本係止突起６３に係合した状態で本係止溝７３に配置される。リテーナ１５は、係止部９１が仮係止突起６１に係合して仮係止溝７１に配置された状態が仮係止状態とされ、係止部９１が本係止突起６３に係合して本係止溝７３に配置された状態が本係止状態とされる。
【００２８】
また、リテーナ１５は、解除治具挿入部９５を有している。この解除治具挿入部９５は、後述する解除治具１０１を挿入するために形成されたもので、係止部９１に切欠きを形成することで設けられている。この解除治具挿入部９５は、リテーナ１５の側端縁８２に形成されており、上側の平板部８１における端子収容室２５へのメス端子１７の挿入方向の略中央部に設けられている。
【００２９】
リテーナ１５の下側の平板部８３には、内側へ向かって突出するランス（可撓係止片）９７及び端子係止突起９９が形成されている。ランス９７は、端子係止突起９９よりも端子収容室２５へのメス端子１７の挿入方向の前方側に設けられている。ランス９７は、その先端が、挿入方向の前方側へ向かって上側の平板部８１側へ突出するように傾斜されて弾性変形可能とされている。
【００３０】
次に、メスハウジング１３にメス端子１７を収容する場合について説明する。
まず、リテーナ１５をインナーハウジング２１へ装着して仮係止状態とする。具体的には、リテーナ１５の側方の開口部分にインナーハウジング２１を入り込ませるようにリテーナ１５をインナーハウジング２１の側方から押し込んで幅方向（装着方向Ａ）へ移動させる。リテーナ１５を装着方向Ａへ移動させると、係止部９１は、仮係止突起６１を乗り越えて仮係止溝７１に進入して係合する。これにより、リテーナ１５がインナーハウジング２１に対して仮係止状態となる。インナーハウジング２１に対してリテーナ１５が仮係止状態となると、リテーナ１５のランス９７が端子収容室２５に配置される。
そして、メスハウジング１３の端子収容室２５に電線１８が接続されたメス端子１７を後方から挿入する。すると、メス端子１７は、係止片部３５がランス９７を乗り越えることで係止されて端子収容室２５に収容された状態に維持される。
【００３１】
次に、仮係止状態のリテーナ１５をさらに押し込んで装着方向Ａへスライドさせる。すると、係止部９１が本係止突起６３を乗り越えて本係止溝７３に進入して係合する。これにより、リテーナ１５がインナーハウジング２１に対して本係止状態となる。インナーハウジング２１に対してリテーナ１５が本係止状態となると、リテーナ１５の端子係止突起９９がランス９７とともに端子収容室２５に配置される。これにより、ランス９７に係止されたメス端子１７の後端側に端子係止突起９９が入り込み、メス端子１７がランス９７とともに端子係止突起９９によって係止されて抜け止めされる。
【００３２】
このとき、端子収容室２５に挿入したメス端子１７が半挿入状態であると、リテーナ１５の端子係止突起９９がメス端子１７の電気接続部３１に干渉する。即ち、メス端子１７が半挿入状態のときは、仮係止状態のリテーナ１５を押し込んで本係止状態とすることができず、作業者は、メス端子１７が半挿入状態であることを認識することができる。
【００３３】
このように、本実施形態に係るコネクタ１１は、メス端子１７の半挿入状態の検知が可能であるとともに、完全に挿入されたメス端子１７に対してランス９７と端子係止突起９９とが二重係止する構造を備えている。
【００３４】
ここで、インナーハウジング２１にリテーナ１５を装着した後に、例えば、メス端子１７と電線１８との接続箇所における不具合等のために、端子収容室２５に収容したメス端子１７の交換を要する場合がある。この場合、メス端子１７を端子収容室２５に収容された状態に二重係止しているリテーナ１５をインナーハウジング２１から取り外す必要がある。
【００３５】
以下、インナーハウジング２１からリテーナ１５を取り外す場合について説明する。
図７は、解除治具１０１を用いたリテーナの取り外し方を説明する本実施形態に係るコネクタ１１の斜視図である。図８は、本実施形態において解除治具１０１によるリテーナ１５の取り外し箇所を示す図であって、図８の（ａ）は解除治具１０１の挿入前における断面図、図８の（ｂ）は解除治具１０１の挿入時における断面図、図８の（ｃ）は解除治具１０１による係合解除時の断面図である。
【００３６】
図８の（ａ）に示すように、インナーハウジング２１に対して本係止状態のリテーナ１５は、係止部９１が本係止溝７３に係合している。
インナーハウジング２１からリテーナ１５を取り外すには、解除治具挿入部９５から先端部が先細り形状の楔形とされた棒状の解除治具１０１の先端部１０２を挿し込む。すると、解除治具１０１は、図８の（ｂ）に示すように、その先端部１０２がインナーハウジング２１とリテーナ１５の上側の平板部８１との間に入り込み、本係止溝７３内に挿し込まれる。
【００３７】
この状態で、解除治具１０１の後端側を押し下げると、本係止溝７３に挿し込まれた解除治具１０１の先端部が側壁部６５の上端を支点として持ち上がり、解除治具１０１の先端部１０２によって上側の平板部８１が押し上げられてインナーハウジング２１から離される。すると、上側の平板部８１の側端縁８２に形成された係止部９１が本係止溝７３から抜け出され、本係止突起６３との係合状態が解除される。そして、本係止突起６３に対する係合が解除されると、リテーナ１５の係止部９１は、本係止突起６３を乗り越えて仮係止溝７１に入り込む。
【００３８】
このとき、図８の（ｃ）に示すように、上側の平板部８１と本係止突起６３との間に入り込んだ解除治具１０１の先端部は、インナーハウジング２１の上面２１ａからの高さが本係止突起６３よりも高い仮係止突起６１に当たり、仮係止溝７１内に入り込む。したがって、上側の平板部８１が解除治具１０１によって必要以上に押し上げられることはない。
【００３９】
そして、仮係止状態のリテーナ１５のランス９７を解除治具１０１の先端部で端子収容室２５の外方へ撓ませ、メス端子１７の係止片部３５に対する係止を解除することで、端子収容室２５からのメス端子１７の抜き取りが可能となる。
【００４０】
更に、リテーナ１５をインナーハウジング２１から取り外す際には、解除治具挿入部９５から先端部が仮係止溝７１に挿し込まれた解除治具１０１の後端側を押し下げると、解除治具１０１の先端部が本係止突起６３の上端を支点として持ち上がり、解除治具１０１の先端部によって平板部８１が押し上げられてインナーハウジング２１から離される。すると、上側の平板部８１の側端縁８２に形成された係止部９１が仮係止溝７１から抜け出され、仮係止突起６１との係合状態が解除される。そして、インナーハウジング２１に対してリテーナ１５を装着時と逆方向へ移動させることで、係止部９１が仮係止突起６１を乗り越え、リテーナ１５がインナーハウジング２１から取り外される。
【００４１】
以上、説明したように、本実施形態に係るコネクタ１１によれば、リテーナ１５の上側の平板部８１に設けられた係止部９１をインナーハウジング２１の上面２１ａに設けられた本係止突起６３に係合させることで、リテーナ１５を確実にインナーハウジング２１に装着することができる。
【００４２】
また、上側の平板部８１におけるリテーナ１５の装着方向先端部に設けられた解除治具挿入部９５から解除治具１０１を挿し込み、平板部８１の係止部９１による本係止突起６３及び仮係止突起６１に対する係止を解除することで、リテーナ１５をインナーハウジング２１から無理なく取り外すことができる。
【００４３】
ここで、参考例に係るコネクタについて説明する。
なお、上記実施形態のコネクタ１１と同一の構成部分には同符号を付して詳細な説明を省略する。
図９は、参考例に係るコネクタを構成するリテーナ１５Ａの斜視図である。図１０は、図９に示したリテーナ１５Ａの側面図である。図１１は、参考例において解除治具１０１による参考例のコネクタにおけるリテーナ１５Ａの取り外し箇所を示す図であって、図１１の（ａ）は解除治具１０１の挿入直後における断面図、図１１の（ｂ）は解除治具１０１による係合解除時の断面図である。
【００４４】
図９及び図１０に示すように、参考例に係るコネクタのリテーナ１５Ａは、解除治具挿入部９５Ａが、上側の平板部８１における端子収容室２５へのメス端子１７の挿入方向の後方側に設けられている。また、図１１の（ａ）に示すように、参考例では、インナーハウジング２１Ａに形成された仮係止突起６１Ａ及び本係止突起６３Ａは、インナーハウジング２１Ａの上面２１ａからの高さが略同一高さとされている。
【００４５】
この参考例に係るコネクタでは、解除治具挿入部９５Ａが上側の平板部８１におけるメス端子１７の挿入方向に沿う側端縁８２の後方側の偏った位置に設けられている。そこで、解除治具挿入部９５Ａに挿し込んだ解除治具１０１によって上側の平板部８１をバランスよく押し上げることができない。即ち、解除治具挿入部９５Ａから距離が離れたメス端子１７の挿入方向前方側での係止部９１による係合を解除するために、解除治具挿入部９５Ａで上側の平板部８１を大きく押し上げなければならず、上側の平板部８１を損傷させてしまうおそれがある。
【００４６】
また、参考例に係るコネクタでは、仮係止突起６１Ａ及び本係止突起６３Ａのインナーハウジング２１Ａの上面２１ａからの高さが略同一高さとされている。このため、図１１の（ａ）に示すように、解除治具挿入部９５Ａに挿し込んで本係止突起６３Ａに対する係止部９１の係合状態を解除させた解除治具１０１の先端部が、図１１の（ｂ）に示すように、仮係止突起６１Ａを乗り越えて奥へ挿し込まれ、リテーナ１５Ａやインナーハウジング２１Ａを損傷させてしまうおそれがある。特に、仮係止突起６１Ａを乗り越えて解除治具１０１が奥へ挿し込まれると、上側の平板部８１が大きく押し上げられて破損するおそれがある。
【００４７】
これに対して、本実施形態に係るコネクタ１１によれば、仮係止突起６１はインナーハウジング２１の上面２１ａからの高さが本係止突起６３よりも高くされているので、解除治具挿入部９５に挿し込んで本係止突起６３に対する係止部９１の係合状態を解除させた解除治具１０１の先端部が仮係止突起６１に当たりやすくなる。これにより、本係止突起６３に対する係止部９１の係合状態を解除させた解除治具１０１の先端部が仮係止突起６１を乗り越えて奥へ挿し込まれる突き抜けによって生じるリテーナ１５やインナーハウジング２１の損傷を抑制できる。
【００４８】
更に、一対の平板部８１，８３と側板部８４とで断面視略Ｕ字状に形成されたリテーナ１５の前端部が前板部８５によって連結されているので、リテーナ１５の剛性が前板部８５によって高められる。これにより、解除治具１０１によってリテーナ１５をインナーハウジング２１から取り外す際のリテーナ１５の変形を抑制できる。
【００４９】
また、本実施形態のコネクタ１１によれば、解除治具挿入部９５が上側の平板部８１におけるメス端子１７の挿入方向に沿う側端縁８２の略中央部に設けられる。そこで、この解除治具挿入部９５に解除治具１０１を挿し込んで上側の平板部８１を押し上げると、解除治具１０１による係止部９１の押し上げ量と押し上げ力とがバランスし、係止部９１をバランスよく押し上げることができ、係止部９１による本係止突起６３及び仮係止突起６１への係合を容易に解除させることができる。
【００５０】
更に、本実施形態のコネクタ１１によれば、リテーナ１５の係止部９１の先端縁９１ａが、インナーハウジング２１の上面２１ａにおけるメス端子１７の挿入方向に沿う側端縁２２に形成された側壁部６５で覆われる。そこで、一対の平板部８１,８３と側板部８４とで断面視略Ｕ字状に形成されたリテーナ１５の開口端である係止部９１の先端縁９１ａが、他の部材との接触等により不用意に捲り上げられてしまうことを防止できる。
【００５１】
また、解除治具挿入部９５に解除治具１０１を挿し込んで上側の平板部８１を押し上げる際、側壁部６５の上端が解除治具１０１の支点となりテコ作用が生じるので、解除治具１０１による係止部９１の押し上げ力を低減することができる。
従って、本実施形態にコネクタ１１によれば、端子収容室２５に収容したメス端子１７の交換を容易に行うことができ、作業者への負担を軽減させることができる。
【００５２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５３】
ここで、上述した本発明に係るコネクタの実施形態の特徴をそれぞれ以下［１］〜［３］に簡潔に纏めて列記する。
［１］  端子収容室（２５）が形成された筒状のコネクタハウジング（インナーハウジング２１）と、
互いに対向する一対の平板部（８１，８３）を側板部８４と前板部８５とで支持して形成され、前記一対の平板部（８１，８３）が前記コネクタハウジング（インナーハウジング２１）を上下方向から挟み込むように端子（メス端子１７）の挿入方向と交差する装着方向から前記コネクタハウジング（インナーハウジング２１）に装着されて前記端子収容室（２５）に収容された前記端子（メス端子１７）を抜け止めするリテーナ（１５）と、を備えるコネクタ（１１）であって、
前記コネクタハウジング（インナーハウジング２１）のハウジング外面（上面２１ａ）には、前記リテーナ（１５）の装着方向（Ａ）に沿って並設された仮係止突起（６１）及び本係止突起（６３）が設けられ、前記仮係止突起（６１）は前記ハウジング外面（上面２１ａ）からの高さが前記本係止突起（６３）よりも高くされており、
一方の前記平板部（８１）における前記端子（メス端子１７）の挿入方向に沿う側端縁（８２）には、前記リテーナ（１５）が前記ハウジング外面（上面２１ａ）に沿って前記装着方向（Ａ）にスライドすることにより、前記仮係止突起（６１）と前記本係止突起（６３）とに選択的に係合する係止部（９１）が設けられ、
一方の前記平板部（８１）の装着方向先端部には、前記本係止突起（６３）に対する前記係止部（９１）の係合を解除する解除治具（１０１）を挿入するための解除治具挿入部（９５）が設けられる
ことを特徴とするコネクタ（１１）。
［２］  前記解除治具挿入部（９５）は、前記側端縁（８２）における前記挿入方向の略中央部に設けられている
ことを特徴とする上記［１］に記載のコネクタ（１１）。
［３］  前記ハウジング外面（上面２１ａ）における前記端子（メス端子１７）の挿入方向に沿う側端縁（２２）には、前記係止部（９１）における前記装着方向（Ａ）の先端縁（９１ａ）を覆う側壁部（６５）が形成されている
ことを特徴とする上記［１］又は［２］に記載のコネクタ（１１）。
【符号の説明】
【００５４】
１１…コネクタ
１５…リテーナ
１７…メス端子（端子）
２１…インナーハウジング（コネクタハウジング）
２１ａ…上面（ハウジング外面）
２５…端子収容室
６１…仮係止突起
６３…本係止突起
８１，８３…平板部
８４…側板部
８５…前板部
９１…係止部
９５…解除治具挿入部
１０１…解除治具
Ａ…リテーナの装着方向
【図１】
2020149948.tif 000003
【図２】
2020149948.tif 000004
【図３】
2020149948.tif 000005
【図４】
2020149948.tif 000006
【図５】
2020149948.tif 000007
【図６】
2020149948.tif 000008
【図７】
2020149948.tif 000009
【図８】
2020149948.tif 000010
【図９】
2020149948.tif 000011
【図１０】
2020149948.tif 000012
【図１１】
2020149948.tif 000013